(57)【要約】【課題】  被処理水の処理効率が飛躍的に向上し、またその浄化性能も優れている浄水装置を提供することを主たる目的とする。【解決手段】  浄水装置の処理空間に、当該処理空間を流通する被処理水の流れと略直交するように、その表面には少なくとも光半導体粉末からなる光触媒機能体が付着せしめられた多孔板と設ける。【選択図】  図１
2005313088.tif 000002
【特許請求の範囲】
【請求項１】
光触媒によって被処理水を浄化する浄水装置であって、
当該浄水装置は、
導入口と排出口とが設けられた装置本体と、
前記装置本体の内部に設けられた内部管と、
前記内部管の内部に設けられた紫外線ランプと、
前記装置本体と内部管との間に形成される処理空間に、当該処理空間を流通する被処理水の流れと略直交するように複数設けられ、その表面には少なくとも光半導体粉末からなる光触媒機能体が付着せしめられた多孔板と、
を備えることを特徴とする浄水装置。
【請求項２】
前記多孔板が、セラミックス製であり、光触媒機能体が、溶射法によって付着せしめられていることを特徴とする請求項１に記載の浄水装置。
【請求項３】
前記複数の多孔板が、一枚毎に着脱可能に設けられていることを特徴とする請求項１又は請求項２に記載の浄水装置。
【発明の詳細な説明】
【技術分野】
【０００１】
この発明は、光触媒を利用した浄水装置に関する。
【背景技術】
【０００２】
現在、いわゆる光触媒（具体的には、ＴｉＯ２、ＣｄＳ、ＣｄＳｅ、ＷＯ３、Ｆｅ２Ｏ３、ＳｒＴｉＯ３、ＫＮｂ３等）と、紫外線とを用いた浄水装置が多数開発されている（例えば、特許文献１など）。
【０００３】
これらの浄水装置は、光触媒の有機物分解（殺菌、消臭）作用に加え、紫外線を加えることにより、紫外線自体が持つ殺菌作用と、光触媒に紫外線を照射することによる光触媒の活性化を狙ったものである。
【特許文献１】特開平１１−７７０３１号公報
【発明の開示】
【発明が解決しようとする課題】
【０００４】
しかしながら、現在多数開発されている光触媒を利用した浄水装置は、いずれも、光触媒と被処理水との接触が悪く、従って効率良く浄水することができないといった問題があった。
【０００５】
また、従来の光触媒を利用した浄水装置は、浄化が不充分であるといった問題もあり、特に、プールや浴槽中に発生するレジオネラ菌を完全に除去することは困難であった。
【０００６】
この発明は、上記問題に鑑みなされたものであり、被処理水の処理効率が飛躍的に向上し、またその浄化性能も優れている浄水装置を提供することを主たる目的とする。
【課題を解決するための手段】
【０００７】
上記問題を解決するための発明は、光触媒によって被処理水を浄化する浄水装置であって、当該浄水装置は、導入口と排出口とが設けられた装置本体と、前記装置本体の内部に設けられた内部管と、前記内部管の内部に設けられた紫外線ランプと、前記装置本体と内部管との間に形成される処理空間に、当該処理空間を流通する被処理水の流れと略直交するように複数設けられ、その表面には少なくとも光半導体粉末からなる光触媒機能体が付着せしめられた多孔板と、を備えることに特徴を有している。
【０００８】
また、上記発明にあっては、前記多孔板が、セラミックス製であり、光触媒機能体が、溶射法によって付着せしめられていてもよい。
【０００９】
さらに、上記発明にあっては、前記複数の多孔板が、一枚毎に着脱可能に設けられていてもよい。
【発明の効果】
【００１０】
この発明によれば、装置本体と内部管との間に形成される処理空間には、光半導体粉末からなる光触媒機能体が付着せしめられた多孔板が、当該処理空間を流通する被処理水の流れと略直交するように、複数設けられているので、被処理水と多孔板に付着せしめられた光触媒機能体とが接触する機会を十分に確保することができ、その結果、従来にない優れた殺菌効果を発揮することができ、例えば、レジオネラ菌をも完全に死滅せしめることができる。また、この発明においては、内部管の内部に紫外線ランプが設けられているので、被処理水を紫外線により殺菌することができるとともに、当該紫外線ランプから照射される光によって、光触媒機能体をより活性化させることができる。
【００１１】
また、多孔板をセラミックス製とし、光触媒機能体を溶射法によって付着せしめることにより、多孔板の耐久性を向上することができると同時に、光触媒機能体が多孔板から脱落することを防止することができる。また、光触媒機能体の付着に際し溶射法を用いることで、バインダー等が不要となり経済的にも好ましい。
【００１２】
さらに、複数の多孔板を、一枚毎着脱可能に設けることにより、被処理水の汚染具合等に応じて多孔板の数を任意に設定することができる。
【発明を実施するための最良の形態】
【００１３】
以下に、本発明の浄水装置について、図面を用いて詳細に説明する。
【００１４】
図１は、本発明の浄水装置１０の構成を説明するための概略断面図である。
【００１５】
図１に示すように、本発明の浄水装置１０は、導入口１１と排出口１２と、が設けられた装置本体１３と、前記装置本体１３の内部に設けられた内部管１４と、前記内部管１４の内部に設けられた紫外線ランプ１５と、を備える。そして、当該装置１０は、さらに、前記装置本体１３と内部管１４との間に形成される処理空間Ｓには、当該処理空間Ｓを流通する被処理水の流れ（図中の矢印参照）と略直交するように複数設けられ、その表面には少なくとも光半導体粉末からなる光触媒機能体３０が付着せしめられた多孔板１６、１６・・・と、を備える。
【００１６】
このような本発明の浄水装置１０によれば、導入口１１から装置１０内部に導入された被処理水は、処理空間Ｓを流通して排出口１２から排出されるまでの間に、処理空間Ｓに複数枚設置されている多孔板１６を通過することとなる。そして、その際に多孔板１６の表面に付着せしめられた光触媒機能体３０と接触して、被処理水中の有機物（例えばレジオネラ菌）が分解される。
【００１７】
本発明の浄化装置１０を構成する装置本体１３の形状や大きさについては、特に限定されることはなく、処理しようとする水の量（処理空間Ｓの大きさ）や、本発明の装置１０の設置スペース等を考慮して任意に設計可能である。しかしながら、装置本体の内部を流通する被処理水の流れ易さや後述する多孔板１６の設置などを考えると、複雑な形状とすることは不利であり、例えば円筒形とすることが好ましい。
【００１８】
前記装置本体１３の内部に設けられる内部管１４については、処理空間Ｓを流通する被処理水に紫外線が照射するために透光性が良好な物質で形成することが好ましく、具体的には、例えば石英ガラスなどが好ましい。また、内部管１４の形状や大きさについては、特に限定されることはないが、前記装置本体１３と同様の理由から、円筒形とすることが好ましい。
【００１９】
内部管１４の内部に設けられる紫外線ランプ１５は、紫外線自体の殺菌力によって被処理水を殺菌するため、また、多孔板１６の表面に付着せしめられる光触媒機能体の活性を高めるために設けられる。この紫外線ランプ１５は、従来公知の紫外線ランプを適宜使用することが可能であるが、光触媒機能体の活性をより高めるためには、照射される紫外線の波長は１７０〜３５０ｎｍ程度が好ましく、１８０〜１９０ｎｍが特に好ましい。
【００２０】
次に、多孔板１６について説明する。
【００２１】
図２は、本発明の浄水装置１０において用いられる多孔板１６の一例を説明するための正面図である。
【００２２】
多孔板１６は、図１に示したように、処理空間Ｓを流通する被処理水の流れに略直交するように複数枚設けられる。そして、図２に示すように、多孔板１６には、被処理水が流通するための孔２０が複数設けられており、また、その中心部近傍には、内部管１４を貫通するための内部管用孔２１が設けられており、さらに、その表面には、光触媒機能体が付着せしめられている。なお、多孔板１６の外周形状、および前記内部管用孔２１の形状については、前述した装置本体１３形状、および内部管１４の形状に合わせればよく、図２に示すように、必ずしも円形状である必要はない。
【００２３】
このような多孔板１６の材質については、本発明は特に限定することはないが、多孔板１６の表面には光触媒機能体３０を付着せしめる関係上、当該光触媒機能体３０を付着させやすい材質であり、また、孔２０を加工しやすい材質であることが好ましく、具体的には、各種プラスチック、各種金属（合金）、さらにはセラミックス、等が好ましく、なかでも特にセラミックスが好ましい。この多孔板１６の大きさについては、装置本体１３の内径に合わせて任意に設計すればよい。また、多孔板１６の厚さについても特に限定はされないが、例えば０．５〜５ｃｍ程度が好ましい。
【００２４】
多孔板１６に設けられる孔２０の大きさや形状についても、本発明は特に限定することはないが、被処理水と多孔板１６の表面に付着せしめられる光触媒機能体との接触効率を考慮すると、その形状は、多角形が好ましく、中でも図２（ａ）に示す長方形、または、図２（ｂ）に示す六角形（ハニカム）が特に好ましく、その大きさ（最大対角距離：符号ｄ）は、０．５〜５０ｍｍ程度が好ましい。
【００２５】
本発明の浄水装置１０においては、このような多孔板１６の設置枚数については特に限定することはなく、浄水装置１０の用途、処理空間Ｓの大きさ、さらには被処理水の汚染具合等によって、任意に設計することができる。
【００２６】
また、複数設置される多孔板１６、１６・・・同士の間隔については、本発明は特に限定することはないが、あまり間隔を小さくすると（例えば多孔板１６を間隔なく重ねてしまうなど）、多孔板１６の表面に付着せしめられた光触媒に紫外線ランプからの光が照射されず浄化効率が低下するおそれがあるため、好ましくない。具体的には、多孔板１６同士の間隔は、０．５〜５ｃｍ程度が好ましく、１〜３ｃｍが特に好ましい。
【００２７】
さらに、複数設置される多孔板１６、１６のそれぞれは、設置される処理空間Ｓから任意に取り外しが可能なように設置されている（着脱自在に設置されている）。このように各多孔板１６をそれぞれ着脱自在とすることにより、処理空間Ｓ内に設置する多孔板１６の枚数を適宜調整することができる。つまり、被処理水の汚れ具合やレジオネラ菌数に応じて、多孔板１６の数を増減することができる。また、多孔板１６のメンテナンスをする上でも有利である。
【００２８】
次に、上記で説明した多孔板１６の表面に付着せしめられる光触媒機能体について説明する。
【００２９】
図３に示す光触媒機能体３０は、光半導体粉末３１と、電極として働く微粒子３２、及び吸着材料３３とからなるものである。
【００３０】
上記光半導体粉末３１としては、ＴｉＯ２の他、ＣｄＳ、ＣｄＳｅ、ＷＯ３、Ｆｅ２Ｏ３、ＳｒＴｉＯ３、ＫＮｂＯ３等を挙げることができる。この中でも、ＴｉＯ２は、ほとんどの酸、塩基、有機溶媒に侵されず化学的に安定であり、また、ＴｉＯ２は中毒を起こすことはなく、発ガン性もないことが動物実験等で確認されており、この様な点からＴｉＯ２が最も好ましい。
【００３１】
上記電極としての微粒子３２は、通常金属微粒子を使用することが多い。そして、電極を形成する金属微粒子としては、銀の他、金、白金、銅等の種々の金属微粒子を用いることができる。光触媒が本来的な機能を発揮するための不可欠な要素の一つとして水分が要求されるため、電極を形成する金属微粒子３２は、水の存在下で経時変化が無く安定していることが必要となり、前記の金属微粒子の中でも白金が最も好ましいが、経済性を考慮し、更に前記特性を具備しており、無毒でそれ自体も殺菌性を有しているため銀が好ましい。
【００３２】
また、電極として用いるものは、金属ではなくケイ素微粒子を使用することも可能である。金属の代りにケイ素を使用することにより、光触媒機能体自体が安価になり、また、本発明の浄水装置１０のように、光触媒処理体３０を水中で使用する場合、「水中に含まれているイオンと電極としての金属が反応してしまい光触媒機能が低下する」といった問題を解消することができる。
【００３３】
そして、ケイ素以外でも、周期表でケイ素と同族（４族）である炭素などは、ケイ素と性質が似ているため電極として使用可能である。
【００３４】
ここで、前記電極３２は、光触媒機能体３０に必ずしも必要なものではない。光半導体粉末３１としてＴｉＯ２を用いた場合、ＴｉＯ２の結晶構造にはアナターゼ型とルチル型とがあり、光触媒機能を有するのはアナターゼ型である。電極は、光半導体粉末が有機物等を分解するのを手伝う働きをしているが、光触媒機能体中にアナターゼ型のＴｉＯ２が多く存在している場合には、ＴｉＯ２だけで充分に光触媒機能を有するので電極として働く微粒子は必要ないからである。
【００３５】
前記吸着材料３３は、被処理水中の細菌、ウィルス、カビの他、悪臭物質及び有害物質等を吸着、保持するために用いられるものである。係る吸着材料３３としては、アパタイト（リン灰石）、ゼオライト又はセピオライト等のセラミック粉末、活性炭及び絹繊維含有物によりなる群から選ばれる１以上を挙げることができ、これらは必要に応じて２以上を組み合わせて用いることができる。ここでアパタイトとしては、細菌、ウィルス、カビ等の蛋白質を選択的に吸着するハイドロキシアパタイト［Ｃａ１０（ＰＯ４）６（ＯＨ）２］が好ましい。また、絹繊維含有物としては、絹繊維粉末の他、顆粒状に成形したものやゲル状物等も含まれる。これらの吸着材料（絹繊維含有物は粉末の場合）の粒径はより大きな表面積を確保するとともに、良好な被着作業性を考慮すると０．００１〜１．０μｍが好ましく、特に０．０１〜０．０５μｍが好ましい。光半導体粉末と吸着材料の混合割合は、光半導体粉末３０重量部に対して吸着材料は１〜５０重量部が好ましく、特に１０〜３０重量部が好ましい。
【００３６】
ここで、前記吸着材料３３も光触媒機能体３０に必ずしも必要なものではない。光触媒機能体３０を溶射により多孔板１６表面に付着せしめる場合、吸着材料３３は、被処理水中の細菌類（例えばサルモネラ菌など）を吸着、保持するために用いられるものであり光半導体粉末３１（ＴｉＯ２）の光触媒機能を補助するためのものである。
【００３７】
しかしながら、光触媒機能体３０をディッピングをする際に用いる塗料とする場合には、塗料中に含まれるバインダーを光触媒機能体３０が分解しないようにするために、吸着材料を使用することが好ましい。
【００３８】
次に、前記光触媒機能体３０を多孔板１６表面へ付着せしめる方法について説明する。
【００３９】
前記光触媒機能体３０は、溶射法によって多孔板１６表面にバインダーなしで付着される場合と、バインダーを含有させた塗料として多孔板１６表面に付着される場合とがある。
【００４０】
図３は、溶射法により多孔板１６表面に光触媒機能体を付着せしめた状態を示すものであり、例えば、多孔板１６を形成するセラミック板、金属板、プラスチック板等の表面に、例えば融点が２０００℃以下である酸化チタン（ＴｉＯ２）の微粒子（５〜５０μｍ）と、金属の微粒子１〜１０μｍとを酸素、アセチレン等を使用したガス溶射法により約２９００〜３０００℃で溶融したセラミックスを溶射したものである。溶射した状態では、光触媒機能体の粒子３０は、一方の電極として作用する酸化チタン粒子３１とこの酸化チタン粒子３１に坦持された他方の電極として作用する金属の例えば銀粒子３２とからなる。光触媒機能体の粒子３０は電気化学セルをなし、溶射後は、３０〜４０μの偏平積層粒子となり、ガスの高温により溶融しつつアンカー効果により多孔板の表面に付着する。酸素、アセチレン等を使用するガス溶射による溶射法においては、溶融光触媒微粒子を噴射するガストーチと多孔板とを相対的に移動させて多孔板の表面が５０℃以上に上がらないようにして行われる。しかしながら、ガス溶射であるため使用原料の粉体の融点は２０００℃以下に制限される。なお、トーチと多孔板との相対速度を調整することによりプラズマ溶射も可能となるが、プラズマ溶射だと使用原料の融点は３５００℃位のものまで溶射可能となる。
【００４１】
一般に、溶射においては、アンカー効果により多孔板の表面にパウダーを付着させるため、溶射用のパウダーは５μｍ以上の塊状のものが好適であり、溶射パウダーとして全てアナターゼがルチルに転移しているものが用いられている。アナターゼ結晶形態の酸化チタン（チタニア）は、強力な光触媒作用を有するが、溶射後の光触媒機能体粒子がすべてアナターゼ結晶を有していると、その分解作用が強すぎて多孔板自体を犯してしまうことがあるので実用化できない場合がある。しかしながら、アナターゼ結晶粒子の粒径、溶射温度、基材表面温度及び使用加熱源をそれぞれ５〜２５μｍ、約２９００〜３０００℃、４０〜５０℃及びガスを調整選択することにより、アナターゼ結晶１０〜４０％を合成することができる。すなわち、アナターゼとルチルとの変態点である約７５０℃を超えれば、結晶はすべてルチル型結晶になるが、上述の溶射法によれば、全てルチル結晶の粒子を準備してこれを溶射すると、１０〜４０％のアナターゼ結晶が生成され、残りがルチル結晶となる。種々の実験によれば、溶射後のアナターゼ対ルチルの重量比は１：３が好適であることがＸ線分析の結果判明した。
【００４２】
また、光触媒機能体３０にアパタイト、ゼオライト、活性炭等の菌、有害物質、臭い等を吸着する吸着材料３３を混合して溶射すれば、多孔板自体を犯さないようにアナターゼ結晶の量を調整することによって光触媒作用が弱められた点が補強される。
【００４３】
すなわち、溶射後のハイドロキシアパタイト３３は、被処理水中の菌、有害物質、臭い等を吸着保持し、この吸着保持した物質等を２０〜３０重量％のアナターゼ結晶を有する光半導体粒子３１が分解するので、光触媒作用が補強されることとなる。光触媒作用を強めるためには、粒子が対象物に触れる接触面積を増やす必要があるが、溶射法によれば、プラズマ溶射に比較して粒子が細かく表面積の大なる膜が形成されるので好ましい。
【００４４】
なお、チタン原料は必ずしもアナターゼとルチルにする必要はなく、触媒活性の強いアナターゼと触媒活性の弱いアナターゼとの比率を調整することによっても適切な光触媒とすることができる。
【００４５】
図４は、多孔板１６の表面に、光触媒機能体を印刷インキ、または塗料として付着せしめた場合の状態を示す図である。
【００４６】
図４からも分かるように、光触媒機能体３０は、酸化チタン３１とこれに坦持された銀粒子３２からなっており、図１に示した溶射の場合の粒子と同一構造とすることができる。ここで、図中の３６はバインダーである。全てがアナターゼ結晶形態の酸化チタン（ＴｉＯ２）はその酸化力が極端に強く基材をぼろぼろにしてしまうので、印刷インキ又は塗料においても、原料である光半導体粉末粒子（例えばＴｉＯ２）のアナターゼとルチルの重量比は２０〜５０％：５０〜８０％が好ましく、アナターゼがこれ以下の比率だと光触媒作用が弱いし、これ以上の比率だと光触媒作用が強すぎてバインダー４６を分解してインク又は塗料がすぐに分解してしまうこととなる。特にアナターゼ対ルチルとの重量比が約３対７が最も好ましい。
【００４７】
前記印刷インキは、光半導体粉末、金属粉末及び吸着材料に加えて、少なくとも色料及びバインダー４６としてのビヒクルを含有し、必要に応じてその他の成分を含有するものである。
【００４８】
色料としては、一般に印刷インキの色料として用いるもの、例えば、無機顔料、有機顔料のほか、油溶染料、分散染料等の染料を上げることができる。ビヒクルとしては、油、例えばアマニ油等の乾性油、大豆油等の半乾性油、ヒマシ油等の不乾性油を挙げることができ、樹脂、例えば、ロジン、変性ロジン、ギルソナイト等の天然樹脂又は天然樹脂誘導体、フェノール樹脂、アルキド樹脂、キシレン樹脂、尿素樹脂、メラミン樹脂、ポリアミド樹脂、アクリル樹脂、エポキシ樹脂、ケトン樹脂、石油樹脂、塩化ビニル樹脂、ポリ酢酸ビニル、ウレタン樹脂、塩素化ポリプロピレン、塩素化ゴム、環化ゴム、セルロース誘導体、反応性樹脂をあげることができ、そのほかにも可塑剤を挙げることができる。また、その他の成分としては、天然ロウ又は合成ロウのロウ成分、乾燥剤、分散剤、湿潤剤、橋かけ剤、ゲル化剤、増粘剤、皮張り防止剤、安定剤、つや消し剤、消泡剤、色分かれ防止剤、光重合開始剤、かび防止剤等を挙げることができる。これらの各成分の配合割合には特別なものはなく、通常市販されている印刷インキと同じ配合割合を適用することができる。
【００４９】
印刷インキにおける光半導体粉末３１、金属粉末３２及び吸着材料３３の合計配合量は、殺菌、防臭等の作用を発揮し、適度な印刷性を確保するため、印刷インキ全量中３〜５５重量％が好ましく、特に１５〜３５重量％が好ましい。
【００５０】
このような印刷インキの形態及び種類は特に制限されるものではなく、ペーストインキ、ソルベントインキ又は無溶剤インキとし、それらを平版印刷インキ、凸版印刷インキ、グラビア印刷インキ、スクリーン印刷インキ、凹版印刷インキ、特殊印刷インキとして適用することができる。これらの中でも本発明の目的を最も効果的に達成するためには、紙用スクリーンインキ、プラスチック用スクリーンインキ、ガラス用スクリーンインキ、布地用スクリーンインキ等のスクリーン印刷用インキが好ましい。
【００５１】
塗料は、光半導体粉末３１、金属粉末３２及び吸着材料３３に加えて、少なくともバインダー３６としての塗膜形成成分及び分散剤を含有し、必要に応じてその他の成分を含有するものである。
【００５２】
塗膜形成成分としては、セルロース誘導体、フタル酸樹脂、フェノール樹脂、アルキド樹脂、アミノアルド樹脂、アクリル樹脂、エポキシ樹脂、ウレタン樹脂、塩化ビニル樹脂、シリコーン樹脂、フッ素樹脂、エマルジョン、水溶性樹脂等の合成樹脂を挙げることができる。分散剤としては、石油系溶剤、芳香族系溶剤、アルコール系溶剤、エステル系溶剤、ケトン系溶剤、セルソルブ系溶剤、無機シリコン系溶剤、水等を挙げることができる。なお、粉体塗料にする場合には、分散剤としての溶剤は不要となる。また、その他の成分としては、顔料、例えば、二酸化チタン、黄鉛、ベンガラ、酸化クロム、カーボンブラック等の無機顔料、ハンザイエロー、ノバパームオレンジ、キナクリドンバイオレット、銅フタロシアニン等の有機顔料、沈降性炭酸カルシウム、硫酸バリウム、タルク、クレー、ホワイトカーボン等の体質顔料、ジンククロメート、ストロンチウムクロメート、リン酸亜鉛、リン酸アルミニウム等の防食顔料に代表される特殊機能顔料等を挙げることができる。更に、上記成分以外にも、補助材料として、塗膜乾燥促進性の付与を目的とする乾燥剤、顔料分散剤、フラッディング防止剤、顔料沈降防止剤、塗料の流動性の調節を目的とする増粘剤、チキソトロピック剤、たれ止め剤、塗面の調整を目的とするレベリング剤、泡消し剤、はじき防止剤、フローティング防止剤のほか、可塑剤、皮張り防止剤、静電塗装助剤、すり傷防止剤、ブロッキング防止剤、紫外線防止剤、防染剤、防腐剤、防かび剤等を配合することができる。これらの各成分の配合割合には特別なものはなく、通常販売されている塗料と同じ配合割合を適用することができる。
【００５３】
塗料における光半導体粉末３１、金属粉末３２及び吸着材料３３の合計配合量は、殺菌、防臭等の作用を発揮し、適度な塗装性を確保するため、塗料全量中３〜５５重量％が好ましく、特に１５〜３５重量％が好ましい。
【００５４】
なお、光半導体粉末３１及び金属粉末３２対吸着材料３３の重量比は、７０〜８０重量％対１０〜２０重量％が好適である。
【００５５】
このような塗料の塗装方法は特に制限されるものではなく、刷毛塗り、エアスプレー塗装、静電塗装、粉体塗装、電着塗装、カーテンフロー塗装、ロール塗装等の方法を適用することができる。
【００５６】
本件出願人が使用している塗料の成分割合は以下の通りである。
【００５７】
１）アクリルラッカー塗料
【００５８】
【表１】
2005313088.tif 000003
２）液ウレタン塗料
（乾燥時の塗膜中）光触媒３０％、バインダー固形分７０％。
【００５９】
【表２】
2005313088.tif 000004
塗工の際には、主剤：硬化剤４：１にて混合。
【００６０】
３）焼付アクリル塗料
（乾燥時の塗膜中）光触媒３０％、バインダー固形分７０％。
【００６１】
【表３】
2005313088.tif 000005
４）水性アクリル塗料
（乾燥時の塗膜中）光触媒５０％、バインダー固形分５０％。
【００６２】
【表４】
2005313088.tif 000006
図５は、以上で説明してきた本発明の浄水装置１０を、風呂（浴槽）の水の浄化に用いる場合のシステム概略図である。
【００６３】
このシステム５０は、本発明の浄水装置１０の他に、除毛器５１、ポンプ５２、ろ過器５３、およびボイラー５４によって構成されている。このシステム５０によれば、風呂の水（つまり、被処理水）は、ポンプ５２の力によって、配管を通ってまず除毛器５１に導入され、水中に存在する抜け毛やゴミなどが除去される。このように除毛器５１を本発明の浄水装置１０の上流に設置することにより、多孔板１６が抜け毛やゴミよって目詰まりすることがない。除毛器５１におって除毛された水は、さらにろ過器５３に導入され、ここで、水中に存在するさらに細かい不純物がろ過される。ろ過器５３によってろ過された水は、本発明の浄水装置１０に導入され、光触媒機能体、および紫外線によって殺菌、浄化される。本発明の浄水装置１０によって浄化された水は、ボイラー５４によって適温に加熱されて、再度風呂（浴槽）に導入される。
【００６４】
なお、図５に示すシステム５０を構成する除毛器５１、ポンプ５２、ろ過器５３、およびボイラー５４については、特に限定されることはなく、従来公知のものを用いることができる。
【００６５】
このような、本発明の浄水装置１０を用いたシステム５０においては、ろ過器５３が頻繁に目づまりを起こすことを防止することができる。つまり、通常の場合、ろ過器が目づまりを起こす原因は、ろ過器の目に捕集されたゴミに微生物が繁殖して、ゴミ自体の体積が増加してしまうことにあるが、本発明の浄水装置１０が用いられたシステム１０にあっては、被処理水中の微生物は光触媒機能体により死滅せしめられているため、たとえろ過器にゴミが捕集された場合であっても、そこで微生物が繁殖することはなく、その結果、目づまりが頻繁に生じることがない。
【実施例】
【００６６】
次に，本発明を実施例を挙げてさらに説明する。
【００６７】
（実施例１）
図１に示した本発明の浄水装置１０を用い、図６に示すような実験装置を組み立て、ポンプによって水を縦貫させながら、浴槽中のレジオネラ菌の数の推移を調査した。図６に示すポンプの流量は１００Ｌ／ｍｉｎとし、浴槽中の水量は３ｔし、この水中にレジオネラ菌と栄養分を添加した。実験中の水温は３６℃に維持した。
【００６８】
浴槽中のレジオネラ菌の数の推移を以下の表５に示す。
【００６９】
【表５】
2005313088.tif 000007
表５からも明らかなように、本発明の浄水装置１０によれば、約２４時間程度で、３ｔの水の中に存在していたレジオネラ菌をほぼ死滅せしめることができた。
【００７０】
（実施例２）
上記実施例１と同様の実験装置を組み立て、浴槽には池の水（５ｔ）と栄養分を入れ、８日間放置して、水苔の繁殖の推移を調査した。
【００７１】
すると、本発明の浄化装置を用い水を循環し続けた場合には、８日間経過後であっても浴槽の水は澄んだ透明のままであったのに対し、比較例として本発明の浄化装置を用いなかった場合には、浴槽の水は緑色に変色し、水苔が大量に発生していた。
【００７２】
以上の実施例１、２より、本発明の浄水装置は、優れた浄化性能を有しており、水苔等のみならず、レジオネラ菌等の除菌にも十分対応可能であることが分かった。
【図面の簡単な説明】
【００７３】
【図１】本発明の浄水装置の構成を説明するための概略断面図である。
【図２】本発明の浄水装置において用いられる多孔板の一例を説明するための正面図である。
【図３】多孔板表面に溶射により光触媒機能体を付着せしめた状態を示す説明図である。
【図４】多孔板表面に印刷インキまたは塗料によって光触媒機能体を付着せしめた状態を示す説明図である。
【図５】本発明の浄水装置を用いたシステム概略図である。
【図６】本発明の浄水装置を用いた実験装置の概略図である。
【符号の説明】
【００７４】
１０  …  浄水装置
１１  …  導入口
１２  …  排出口
１３  …  装置本体
１４  …  内部管
１６  …  多孔板
２０  …  孔
２１  …  内部管用孔
３０  …  光触媒機能体
３１  …  光半導体粉末
３２  …  電極として働く微粒子（金属微粒子）
３３  …  吸着材料
３６  …  バインダー
５０  …  浄水装置を用いたシステム
５１  …  除毛器
５２  …  ポンプ
５３  …  ろ過器
５４  …  ボイラー
Ｓ  …処理空間
【図１】
2005313088.tif 000008
【図２】
2005313088.tif 000009
【図３】
2005313088.tif 000010
【図４】
2005313088.tif 000011
【図５】
2005313088.tif 000012
【図６】
2005313088.tif 000013